(57)【要約】【課題】背が低いお年寄りや子供など、主操作盤が届かない利用者や、車いす利用者がかごに乗ったときに、速やかに見つけて戸惑いなく操作することができ、かつ意匠性にも優れるエレベータの副操作盤を提供する。【解決手段】かごの側板９に、背が低いお年寄りや子供など、主操作盤が届かない利用者や、車いす利用者用として設置されるエレベータの副操作盤１１であって、側板９に取り付けられる操作盤本体１４と、操作盤本体１４の周囲にかごの内部に露出して設けられる導光部材２５と、導光部材２５を通してかごの内部に光を放射することが可能なＬＥＤ２７とを具備し、操作盤本体１４は、フェースプレート１２と、このフェースプレート１２の裏面に取り付けられたカバーボックス１３とからなり、フェースプレート１２が側板９の表面からかごの内部側に突出し、導光部材２５がフェースプレート１２の周縁部と側板９の表面との間の隙間２２内に配置されている。【選択図】    図３
2011111282.tif 000002
【特許請求の範囲】
【請求項１】
かごの側板に設置されるエレベータの副操作盤であって、
前記側板に取り付けられる操作盤本体と、
前記操作盤本体の周囲の一部または全体に、前記かごの内部に露出して設けられる導光部材と、
前記導光部材を通して前記かごの内部に光を放射することが可能な光源と、
を具備することを特徴とするエレベータの副操作盤。
【請求項２】
前記操作盤本体は、フェースプレートと、このフェースプレートの裏面に取り付けられたカバーボックスとからなり、前記フェースプレートが前記側板の表面から前記かごの内部側に突出し、前記導光部材が前記フェースプレートの周縁部と前記側板の表面との間の隙間内に配置されていることを特徴とする請求項１に記載のエレベータの副操作盤。
【請求項３】
前記操作盤本体は、フェースプレートと、このフェースプレートの裏面に取り付けられたカバーボックスとからなり、前記フェースプレートの裏面と前記側板の表面とが面一の状態にあり、前記導光部材が前記フェースプレートの外周部に前記側板の表面と面一の状態で配置されていることを特徴とする請求項１に記載のエレベータの副操作盤。
【請求項４】
前記操作盤本体は、フェースプレートと、このフェースプレートの裏面に取り付けられたカバーボックスとからなり、前記フェースプレート及び前記カバーボックスの一部が前記側板の表面から前記かごの内部側に突出し、前記導光部材が前記カバーボックスの前記かご内に臨む位置に配置されていることを特徴とする請求項１に記載のエレベータの副操作盤。
【請求項５】
前記操作盤本体は、フェースプレートと、このフェースプレートの裏面に取り付けられたカバーボックスとからなり、前記導光部材が前記フェースプレートの外周部に取り付けられ、前記フェースプレートの表面と前記導光部材の表面と前記側板の表面とが面一の状態にあることを特徴とする請求項１に記載のエレベータの副操作盤。
【発明の詳細な説明】
【技術分野】
【０００１】
この発明は、エレベータのかご内に設けられる副操作盤に係り、特にかごの入口近傍以外に設けられるエレベータの副操作盤に関する。
【背景技術】
【０００２】
エレベータのかご内には、一般乗客用の主操作盤とは別に、例えば特開２００４−３２３１５７公報（特許文献１）に見られるように、車いす利用者が操作するための副操作盤が設けられる場合があった。例えば、前記副操作盤の操作によるかごドアの戸開時間は、車いす利用者の乗降を配慮して、主操作盤の操作による戸開時間より長く設定される。このように副操作盤は、かご内の側板の比較的低い位置に設置され、背が低いお年寄りや子供など、主操作盤が届かない利用者や、車いす利用者が車いすに乗ったまま容易に利便性よく操作することができるようになっていた。
【先行技術文献】
【特許文献】
【０００３】
【特許文献１】特開２００４−３２３１５７号公報
【発明の概要】
【発明が解決しようとする課題】
【０００４】
従来の副操作盤は、かごの側板に単に取り付けられているだけで、目立ちにくく、背が低いお年寄りや子供など、主操作盤が届かない利用者や、車いす利用者がかごに乗り込んだときに速やかにその副操作盤を見つけることができないようなことがある。特に、かご内に背が低いお年寄りや子供など、主操作盤が届かない利用者や、車いす利用者と共に複数の一般乗客が乗り込んだようなときには、その一般乗客が陰となって副操作盤をより見つけにくくなる。
【０００５】
また近年では、かご内の高級感や落ち着き感などを高めるため、かご内の照明照度を落とし、比較的暗い照明雰囲気としたエレベータが要望されるようになってきている。このようなエレベータに設置される副操作盤にあっては、より一層その存在が分かりにくくなり、背が低いお年寄りや子供など、主操作盤に手が届かない利用者や、車いす利用者などが戸惑うことになった。
【０００６】
また一方、副操作盤は、かごの側板に単に面一に取り付けられているだけであるため、利便性を満たす目的から、かご内の意匠性に欠ける難点もあった。
【０００７】
そこで、本発明はこのような点に着目してなされたもので、その目的とするところは、背が低いお年寄りや子供など、主操作盤が届かない利用者や、車いす利用者がかごに乗ったときに、速やかに見つけて戸惑いなく操作することができ、かつ意匠性にも優れるエレベータの副操作盤を提供することにある。
【課題を解決するための手段】
【０００８】
このような課題を解決するために、請求項１の発明は、かごの側板に、背が低いお年寄りや子供など、主操作盤が届かない利用者や、車いす利用者用として設置されるエレベータの副操作盤であって、前記側板に取り付けられる操作盤本体と、前記操作盤本体の周囲の一部または全体に、前記かごの内部に露出して設けられる導光部材と、前記導光部材を通して前記かごの内部に光を放射することが可能な光源とを具備することを特徴としている。
【０００９】
そして請求項２の発明においては、前記操作盤本体が、フェースプレートと、このフェースプレートの裏面に取り付けられたカバーボックスとからなり、前記フェースプレートが前記側板の表面から前記かごの内部側に突出し、前記導光部材が前記フェースプレートの周縁部と前記側板の表面との間の隙間内に配置されていることを特徴としている。
【００１０】
請求項３の発明においては、前記操作盤本体が、フェースプレートと、このフェースプレートの裏面に取り付けられたカバーボックスとからなり、前記フェースプレートの裏面と前記側板の表面とが面一の状態にあり、前記導光部材が前記フェースプレートの外周部に前記側板の表面と面一の状態で配置されていることを特徴としている。
【００１１】
請求項４の発明においては、前記操作盤本体が、フェースプレートと、このフェースプレートの裏面に取り付けられたカバーボックスとからなり、前記フェースプレート及び前記カバーボックスの一部が前記側板の表面から前記かごの内部側に突出し、前記導光部材が前記カバーボックスの前記かご内に臨む位置に配置されていることを特徴としている。
【００１２】
請求項５の発明においては、前記操作盤本体が、フェースプレートと、このフェースプレートの裏面に取り付けられたカバーボックスとからなり、前記導光部材が前記フェースプレートの外周部に取り付けられ、前記フェースプレートの表面と前記導光部材の表面と前記側板の表面とが面一の状態にあることを特徴としている。
【発明の効果】
【００１３】
この発明によれば、背が低いお年寄りや子供など、主操作盤が届かない利用者や、車いす利用者がかごに乗ったときに、そのかご内の副操作盤を速やかに見つけて戸惑いなく操作することができ、かつその副操作盤の意匠性も高めることができる。
【図面の簡単な説明】
【００１４】
【図１】この発明の第１の実施形態に係る副操作盤を備えるかごの内部を示す斜視図。
【図２】その副操作盤の正面図。
【図３】その副操作盤の断面図。
【図４】この発明の第２の実施形態に係る副操作盤の断面図。
【図５】この発明の第３の実施形態に係る副操作盤の断面図。
【図６】この発明の第４の実施形態に係る副操作盤の断面図。
【図７】この発明の第５の実施形態に係る副操作盤の断面図。
【発明を実施するための形態】
【００１５】
以下、この発明の実施の形態について図面を参照して説明する。図１〜図３には第１の実施形態を示してある。図１は、エレベータのかご１の内部をその後方(非入口)から前方(入口)を見たときの斜視図である。かご１は前部に出入口２を有し、この出入口２にその開閉用のドア装置３が設けられている。ドア装置３は、例えば一対のドアパネル３ａ，３ｂが左右に移動することで出入口２を開閉する両開き式構造となっている。
【００１６】
かご１の内部には、出入口２の一側方の壁面部において、一般乗客用の主操作盤４が取り付けられている。この主操作盤４には、ドア装置３を開閉するためのドア開閉ボタン５、かご１の行先階を登録するための行先階ボタン６、かご１の上下行先方向を表示するための行先表示灯７などが配設されている。
【００１７】
かご１は、内部の両側に側板９，１０を有し、例えばその一方の側板９に背が低いお年寄りや子供など主操作盤４が届かない利用者や、車いす利用者用の副操作盤１１が取り付けられている。副操作盤１１は、かご１の比較的低い位置に取り付けられている。
図２には副操作盤１１の正面図を、図３には断面図をそれぞれ示してある。副操作盤１１は、フェースプレート１２と、このフェースプレート１２の裏面に取り付けられたカバーボックス１３（図３参照）とからなる操作盤本体１４を有し、そのフェースプレート１２の表面にドア開閉ボタン１５、かご１の行先階を登録するための行先階ボタン１６、かご１の上下行先方向とかご１の現在位置を表示するための行先表示灯１７などが配設されている。行先表示灯１７は例えば液晶表示パネルからなる。
フェースプレート１２の裏面には、前記各ボタン１５，１６の操作に応動するスイッチング素子やボタン等の照光用光源、及び行先表示灯１７を駆動する駆動回路やその照光用の光源などを備える制御部品２０が取り付けられ、この制御部品２０が前記カバーボックス１３により覆われている。カバーボックス１３はフェースプレート１２より小さい形状であって、フェースプレート１２の周縁部がカバーボックス１３の周縁からその外方に突出する状態にある。
【００１８】
カバーボックス１３は側板９に形成された開口９ａにかご１の内部側から嵌入されて側板９に固定されている。フェースプレート１２はかご１の内部側に露出し、このフェースプレート１２の周縁部と側板９の表面との間には隙間２２が設けられている。
【００１９】
隙間２２内には、光源ユニット２４と、その光源ユニット２４の光を導く導光部材２５とが配設されている。光源ユニット２４は、基板２６に光源としての複数のＬＥＤ（発光ダイオード）２７を取り付けてなる。ＬＥＤ２７は基板２６にその長手方向に沿って一列に等間隔で並ぶように取り付けられている。ＬＥＤ２７の発行色は、ホワイト、レッド、ブルーなどのいずれの色であってもよい。また、導光部材２５は、透光性を有する材料、例えばアクリル樹脂からなる。
【００２０】
ＬＥＤ２７を備える基板２６は、隙間２２に臨むように、カバーボックス１３の両側の外側面及び上下の外側面に取り付けられ、これら基板２６を覆って各ＬＥＤ２７に対向するように導光部材２５が隙間２２内に配置されている。導光部材２５は例えば矩形の環状に形成され、カバーボックス１３の外周を囲んで各ＬＥＤ２７に対向するようにカバーボックス１３の外周に嵌め込まれている。なお、各光源ユニット２４の基板２６はねじ止めや接着剤などによりカバーボックス１３に固定され、各導光部材２５は接着剤などにより側板９やフェースプレート１２に固定されている。
【００２１】
このような副操作盤１１においては、各ＬＥＤ２７の点灯による光が各導光部材２５を通して副操作盤１１におけるフェースプレート１２の周囲外方に向けて拡散放射される。このため、例えば車いす利用者がかご１に乗り込んだときに、副操作盤１１の存在及びその位置を速やかにかつ的確に見つけて戸惑いなくその副操作盤１１を操作することができ、車いす利用者にとっての利便性が高まる。
【００２２】
各ＬＥＤ２７は、カバーボックス１３の両側の外側面及び上下の外側面に副操作盤１１の周囲を囲むように均等的に配設されており、このため副操作盤１１の周囲の全体から導光部材２５を通して光が放散し、したがって副操作盤１１をいずれの方向から見ても明確に認識でき、かご１内に車いす利用者と共に一般乗客が乗り込んで副操作盤１１の一部が隠れるような場合であっても、副操作盤１１を容易に見つけて戸惑いなく操作することができる。
また、副操作盤１１のフェースプレート１２がかご１の側板９の表面から一段突出し、そのフェースプレート１２の突出した周面から光が放射されるから、副操作盤１１の全体を見たときの視覚的な感覚に独特の趣が生じ、副操作盤１１の意匠性を高めることができる。特にかご１内の照明照度が低く設定されているエレベータの場合に、より高い意匠性が得られ、また前記光による間接照明によりかご１内の照明雰囲気を高めることができる。
【００２３】
図４には第２の実施形態を示してある。なお、前記第１の実施形態の構成と対応する部分には同一の符号を付して重複する説明を省略する。  
この第２の実施形態においては、フェースプレート１２とかご１の側板９の表面との間の隙間２２内に導光特性を有する例えばアクリル樹脂製などの導光部材２５のみが嵌め込まれている。そして、側板９の裏側に導光部材２５と対向して光源ユニット２４が取り付けられている。側板９には、光源ユニット２４の各ＬＥＤ２７と対向する部分に透孔９ｂが形成され、これら透孔９ｂを通して各ＬＥＤ２７の点灯の光が導光部材２５を通してかご１の内部側に拡散するようになっている。
なお、導光部材２５は、例えば矩形の環状に形成され、カバーボックス１３の外周に嵌め込まれ、また側板９の裏面に取り付けられた光源ユニット２４は、カバーボックス１３の両側の外側面及び上下の外側面に沿って連続して並ぶように配置されている。
【００２４】
この第２の実施形態における副操作盤１１においても、第１の実施形態の場合と同様に、各ＬＥＤ２７の点灯による光が各導光部材２５を通して副操作盤１１におけるフェースプレート１２の周囲外方に拡散放射され、したがって車いす利用者がかご１に乗り込んだときに、副操作盤１１の存在及びその位置を速やかにかつ的確に見つけて戸惑いなく操作することができ、車いす利用者に対する利便性を高めることができ、またその光の照光効果で意匠性を高めることができる。
図５には第３の実施形態を示してある。なお、前記第１の実施形態の構成と対応する部分には同一の符号を付して重複する説明を省略する。  
この第３の実施形態においては、カバーボックス１３の外周にフェースプレート１２の裏面と接するように導光部材２５が配置されている。導光部材２５は例えば矩形の環状に形成され、カバーボックス１３の外周に嵌め込まれている。導光部材２５はその環状部の断面がＬ状をなし、裏面が幅の広い入射面２５ａ、表面が幅の狭い出射面２５ｂとなっている。
導光部材２５の出射面２５ｂは側板９の表面とほぼ面一で、この出射面２５ｂの表面にフェースプレート１２の周縁部の裏面が接する状態にある。そして、導光部材２５の入射面２５ａに光源ユニット２４が取り付けられている。光源ユニット２４は、その各ＬＥＤ２７が導光部材２５の入射面２５ａに対向するように、導光部材２５の環状に沿って連続して連なるように配置されている。
【００２５】
この第３の実施形態における副操作盤１１においては、各ＬＥＤ２７の点灯による光が各導光部材２５を通して副操作盤１１におけるフェースプレート１２の周囲からかご１内に拡散放射され、したがって車いす利用者がかご１に乗り込んだときに、副操作盤１１の存在及びその位置を速やかにかつ的確に見つけて戸惑いなく操作することができ、車いす利用者に対する利便性を高めることができ、またその光の照光効果で意匠性を高めることができる。
図６には第４の実施形態を示してある。なお、前記第１の実施形態の構成と対応する部分には同一の符号を付して重複する説明を省略する。  
この第４の実施形態においては、フェースプレート１２の周縁部がカバーボックス１３の外周側に突出せずに、そのフェースプレート１２の外周面とカバーボックス１３の外周面とがほぼ面一の状態にある。カバーボックス１３の周面部には、フェースプレート１２と隣接して環状の導光部材２５が取り付けられ、この導光部材２５の内面に光源ユニット２４が取り付けられている。光源ユニット２４は、その各ＬＥＤ２７が導光部材２５の内面に対向するように、導光部材２５の環状に沿って連続して連なるように配置されている。
【００２６】
カバーボックス１３の導光部材２５が取り付けられた周面部は、側板９の表面からかご１の内部側に突出し、したがって導光部材２５はかご１の内部側に臨んでいる。
この第４の実施形態における副操作盤１１においては、各ＬＥＤ２７の点灯による光が各導光部材２５を通して副操作盤１１におけるフェースプレート１２の周囲外方に拡散放射され、したがって車いす利用者がかご１に乗り込んだときに、副操作盤１１の存在及びその位置を速やかにかつ的確に見つけて戸惑いなく操作することができ、車いす利用者に対する利便性を高めることができ、またその光の照光効果で意匠性を高めることができる。
図７には第５の実施形態を示してある。なお、前記第１の実施形態の構成と対応する部分には同一の符号を付して重複する説明を省略する。  
この第５の実施形態においては、フェースプレート１２の外周部に環状の導光部材２５が取り付けられ、この導光部材２５の裏面に光源ユニット２４が取り付けられている。光源ユニット２４は、その各ＬＥＤ２７が導光部材２５の裏面に対向するように、導光部材２５の環状に沿って連続して連なるように配置されている。
【００２７】
そして、フェースプレート１２の表面と導光部材２５の表面と側板９の表面とがそれぞれ面一となるように、側板９に対して副操作盤１１が取り付けられている。
この第５の実施形態における副操作盤１１においては、各ＬＥＤ２７の点灯による光が各導光部材２５を通して副操作盤１１におけるフェースプレート１２の周囲からかご１内に拡散放射され、したがって車いす利用者がかご１に乗り込んだときに、副操作盤１１の存在及びその位置を速やかにかつ的確に見つけて戸惑いなく操作することができ、車いす利用者に対する利便性を高めることができ、またその光の照光効果で意匠性を高めることができる。
なお、前記各実施形態において、操作盤本体１４の周囲四方から放射する光の明るさは、その四方の全体で同じ明るさとする場合であっても、異なる明るさとする場合であってもよい。例えば、フェースプレート１２の下縁部から下方に放射する光の明るさを、他の縁部から放射する光の明るさよりも明るくしてフットランプ式の照明とするような場合であってもよい。
光放射用の光源は、前記各実施形態の場合のように専用のＬＥＤ２７を用いる場合のほか、例えばフェースプレート１２に配設されているドア開閉ボタン１５、行先階ボタン１６、行先表示灯１７などを照光する光源をその光放射用の光源として兼用して利用することも可能である。
【００２８】
光の放射（点灯）は、常時であってもよいが、例えばかご１のドアが戸閉してかご１内が比較的暗くなるときにのみ点灯するような場合であってもよい。
【００２９】
また、前記各実施形態においては、操作盤本体１４の周囲全体を囲むように導光部材２５を設け、操作盤本体１４の周囲四方の全体から光を放射するようにしたが、操作盤本体１４の周囲の一部の区間のみに導光部材２５を設け、その一部の区間のみから光を放射するような場合であってもよい。
【００３０】
さらに、この副操作盤１１を停電時に二次電池で点灯してかご内を照明する停電灯として利用したり、非常時に点灯または点滅して非常の発生をかご内の乗客に知らせる警報灯として利用することも可能である。
【符号の説明】
【００３１】
１…かご
２…出入口
３…ドア装置
４…主操作盤
９．１０…側板
１１…副操作盤
１２…フェースプレート
１３…カバーボックス
１４…操作盤本体
１５…ドア開閉ボタン
１６…行先階ボタン
１７…行先表示灯
２０…制御部品
２２…隙間
２４…光源ユニット
２５…導光部材
２６…基板
２７…ＬＥＤ
【図１】
2011111282.tif 000003
【図２】
2011111282.tif 000004
【図３】
2011111282.tif 000005
【図４】
2011111282.tif 000006
【図５】
2011111282.tif 000007
【図６】
2011111282.tif 000008
【図７】
2011111282.tif 000009